(57)【要約】【課題】  エレベータホールに設置されているテンキーを使用することにより、セキュリティーを確保しながら来客がエレベータを利用しやすくなる制御装置を提供する。【解決手段】  マンション等のエントランスでテンキー２の操作または非接触キーの読み取り３によりエントランスドア１を解錠した後、所定時間以内にエントランス階のエレベータホールで乗場テンキー６により上記テンキー２と同じ操作をした時、または非接触キーの読み取り７を行なった時にエレベータの乗場呼びサービス切放しを一時的に解除して乗場呼びを自動登録するようにした構成とする。【選択図】図１
2006327764.tif 000002
【特許請求の範囲】
【請求項１】
マンション等のエントランスでテンキーの操作または非接触キーの読み取りによりエントランスドアを解錠した後、所定時間以内にエントランス階のエレベータホールで乗場テンキーにより上記テンキーと同じ操作をした時、または非接触キーの読み取りを行なった時にエレベータの乗場呼びサービス切放しを一時的に解除して乗場呼びを自動登録するようにしたことを特徴とするエレベータの制御装置。
【請求項２】
マンション等への来客がそのエントランスでテンキーを操作し、住居者が来客を確認してエントランスドアを解錠した後、所定時間経過後にエントランス階のエレベータホールで来客が乗場テンキーを操作した時は、エレベータの乗場呼びサービス切放しの一時的解除を行なわず、来客が乗場テンキーを操作して上記住居者が上記来客を確認した時にエレベータの乗場呼びサービス切放しを一時的に解除して乗場呼びを自動登録するようにしたことを特徴とするエレベータの制御装置。
【発明の詳細な説明】
【技術分野】
【０００１】
この発明は、エレベータの制御装置、特にマンション等に設置されるエレベータのセキュリティーを含む制御装置に関するものである。
【背景技術】
【０００２】
エレベータのセキュリティーを確保するため、常時はエレベータの乗場呼びサービス切放しを行う装置がある。（例えば、特許文献１参照）。
また、来客時のマンション等のエントランスドアの解錠に連動してエレベータの乗場呼びを自動登録するシステムがある。（例えば、特許文献２参照）。
【０００３】
【特許文献１】特開平１１−９２０４２号公報
【特許文献２】特開２００２−１２９７９３号公報
【発明の開示】
【発明が解決しようとする課題】
【０００４】
上記のような従来のエレベータにおいては、住居者または来客によりマンション等のエントランスドアが解錠された後、該当する階床のみ乗場呼びサービスを可能としている。
これは、エレベータの扉が閉まる前に住居者または来客以外の者が不法に侵入した場合のエレベータの不正使用を防ぐためである。
【０００５】
住居者は、非接触キーなどの認証によりエレベータの乗場呼びサービス切放しを一時解除するようにしている。来客は、マンションのエントランスからインターホンにより住居者へ連絡し、住居者が来客を確認して住戸盤からエントランスドアの解錠指令を行うことにより、エントランスドアの解錠と同時に、エレベータの乗場呼びサービス切放しの一時解除を実施するようにしている。
【０００６】
エントランスとエレベータホールの距離が離れている場合においては、エントランスドアの解錠時にエレベータの乗場呼びサービス切放しの一時解除を行うと、セキュリティーが保たれない場合があるため、エレベータホールに来客の再認証を行う装置が設置される場合がある。
【０００７】
来客の認証を行うために、エレベータホールにテンキーを設置し、エントランスドアの解錠時と同一の部屋番号が操作された時に、エレベータの乗場呼びサービス切放しの一時解除を行うようにしている。
【０００８】
このとき、サービス切放しの一時解除が有効となる時限が設定されていない場合には、エントランスでの待ち合わせなどによって、エレベータを使用しない場合に、来客以外の者が同一の部屋番号を操作すると、サービス切放しの一時解除が行われるという問題点があった。
【０００９】
また、時限が設定されている場合において、複数の来客等があることにより、別の来客が別の部屋番号を先に操作することにより、所定の部屋番号のテンキー操作が遅れると、設定時限を経過する結果、再度、エントランスまで戻って操作をやり直さなければならないという問題点もあった。
【００１０】
この発明は、上記のような問題点を解消するためになされたもので、セキュリティーを確保しながら来客がエレベータを利用しやすくするエレベータの制御装置を提供することを目的とする。
【課題を解決するための手段】
【００１１】
この発明に係るエレベータの制御装置は、マンション等のエントランスでテンキーの操作または非接触キーの読み取りによりエントランスドアを解錠した後、所定時間以内にエントランス階のエレベータホールで乗場テンキーにより上記テンキーと同じ操作をした時、または非接触キーの読み取りを行なった時にエレベータの乗場呼びサービス切放しを一時的に解除して乗場呼びを自動登録するようにしたものである。
【発明の効果】
【００１２】
この発明に係るエレベータの制御装置は上記のように構成されているため、エントランスドアの解錠後、所定時間以内にエレベータホールのテンキーによる操作が行なわれない場合には、乗場呼びサービス切放しの一時解除を無効にすることによりセキュリティーを保つことができる。
【００１３】
また、住居者が来客を確認してエントランスドアを解錠した後、所定時間以内にエレベータホールのテンキーが操作されない場合があっても、来客が再度エントランスに戻って操作をやり直す必要がないため、来客へのサービスが向上する。
【発明を実施するための最良の形態】
【００１４】
実施の形態１．
以下、この発明の実施の形態１を図にもとづいて説明する。図１は、実施の形態１の構成を示すブロック図である。この図に示すように、マンション等のエントランスのドア１の近辺にテンキー付きインターホン２が設けられ、これを操作することにより住居者との連絡をとることができる。また、インターホン２と共に非接触キーの読取り装置３が設けられ、個人が認証できる非接触キーを読取ることにより、インターホン２の操作が不要で、エントランスドア１の解錠ができるようにもなっている。
【００１５】
また、エントランス階のエレベータの扉４の近辺には、エレベータの乗場ボタン５が設けられているが、通常時は、乗場呼びサービスの切放しが行なわれているため、乗場ボタン５を操作しても乗場呼びは登録されないようになっている。また、乗場ボタン５に隣接してテンキー６が設けられ、エントランスのテンキー付インターホン２で操作したのと同一の部屋番号を操作することにより、乗場ボタン５を操作することなく、エレベータの呼びを自動登録することができる。
【００１６】
７はテンキー６と共に乗場に設けられた非接触キーの読取り装置であり、非接触キーを読取ることにより、テンキー６の操作を行なうことなく、また乗場ボタン５を操作することなく、エレベータの呼びを自動登録することができる。
【００１７】
マンション等にはまた、ホームオートメーション（ＨＡ）制御装置８が設けられ、上述した各装置の制御を行うと共に、各住居には住戸盤９が設置され、インターホン２との通話や、エントランスドア１の解錠を各住居から行なうことができるようになっている。
【００１８】
１０は非接触キー制御装置であり、非接触キーの読取り装置３または７の読取り情報をＨＡ制御装置８へ出力している。１１はＨＡ制御装置８からの情報により、エントランスドア１の解錠、および、乗場呼びサービス切放しの一時解除と乗場呼びの登録を行う認証制御装置である。１２はエレベータ制御盤であり、乗場呼びサービス切放しの一時解除と乗場呼びの登録を行い、エレベータを動作させる。
【００１９】
図２は、実施の形態１におけるエレベータの構成を示す概略図である。この図に示すように、昇降路内を上下移動可能なようにされたかご室１３が駆動用のモータ１５によって駆動されるロープ１６を介して釣り合いおもり１７と結合されている。かご室１３内には行先（かご呼び）ボタン１４が設けられ、かご室１３の情報はかご制御ケーブル１８を介して制御盤１２に伝送されている。１９は各乗場の情報を制御盤１２へ伝送する乗場制御ケーブルである。
【００２０】
次に、実施の形態１の動作を図３〜図５に示すフローチャートを用いて説明する。
ステップＳ１でエントランスのインターホン２が来客によって操作されているかどうかを判断する。操作されていれば、ステップＳ２でホームオートメーション（ＨＡ）制御装置８を経由して、該当する住戸盤９のインターホンに接続して住居者を呼び出す。
【００２１】
ステップＳ３で所定時間以内に、住戸盤９からの応答があるかどうかをチェックする。応答があれば、ステップＳ４でエントランスと住居室とで通話を行う。住居者が来客を確認すると、ステップＳ５で通話を完了し、インターホン接続を切断して図４のステップＳ７に移行する。ステップＳ３で所定時間以内に住居者の応答がなければ、ステップＳ６でインターホン接続を切断する。
【００２２】
ステップＳ４の通話で、来客であると確認した場合には、図４のステップＳ７で住戸盤９のエントランス解錠スイッチを操作し、ホームオートメーション（ＨＡ）制御装置８、認証制御装置１１を経由してエントランスのドア１を解錠する。
来客でないと判断した場合は、ステップＳ７でエントランスのドア１を解錠せず、処理を終了する。
【００２３】
続いてステップＳ８でエレベータを使用できるようにするため、認証制御装置１１に、該当する部屋のエレベータの乗場呼びサービス切放しを一時解除するための時限をセットする。その後、ステップＳ９でエレベータホールのテンキー６が時限内に操作されたかどうかを判断する。時限内に操作されない場合は、ステップＳ１０でステップＳ８において設定された全ての部屋の時限をカウントする。
【００２４】
時限がリセット状態となった時は、サービス切放しの一時解除は無効となり、ステップＳ１１で、いずれかの部屋の時限が残っているかどうかをチェックする。いずれかの部屋の時限が残っている場合は、ステップＳ９に戻り、テンキーの入力待ちとなる。
【００２５】
ステップＳ９でテンキーが時限内に操作された場合には、サービス切放しを一時解除するための時限をカウントしないことにより、複数の来客が操作した場合でも照合可能とし、ステップＳ１２でホームオートメーション（ＨＡ）制御装置８を経由して認証制御装置１１にテンキー情報を送り、テンキー６で操作した部屋番号と、ステップＳ８で設定した乗場呼びサービス切放しの一時解除を行う部屋番号とが一致しているかどうかを判断する。
【００２６】
一致していなければ、ステップＳ１３でホームオートメーション（ＨＡ）制御装置８を経由してテンキー６に「照合ＮＧ」であることを所定時間表示し、ステップＳ９に戻る。
一致していれば、ステップＳ１４でホームオートメーション（ＨＡ）制御装置８を経由してテンキー６に「照合ＯＫ」であることを所定時間表示し、ステップＳ１５で該当する部屋のエレベータの乗場呼びサービス切放しを一時解除するための時限をリセットし、図５のステップＳ１６に移行する。
【００２７】
セキュリティー確保のため、通常時は、住居者および来客以外がエレベータを使用できないように、乗場呼びサービス切放しを実施している。ステップＳ１２の照合が一致した場合、認証制御装置１１から部屋番号に該当する階床情報をエレベータ制御盤１２へ出力し、図５のステップＳ１６にてエントランス階のエレベータの乗場呼びサービス切放しを一時解除し、乗場呼びの自動登録を行う。
【００２８】
その後、ステップＳ１７で、エレベータがエントランス階に到着し、乗車したかどうかの判断を行う。乗車すると、ステップＳ１８でかご内での行先ボタン１４を操作することなく、住居者の階のかご呼びを自動登録する。照合されていない階のかご呼びはサービス切放しされており、かご内で行先ボタン１４を操作してもかご呼び登録できないようになっている。
【００２９】
ステップＳ１９でエレベータが出発すると、エントランス階の乗場呼びサービス切放しを行う。ステップＳ２０でエレベータが行先に到着し、来客が降車する。ステップＳ２１で降車が完了すると、かご呼びのサービス切放しを行う。
【００３０】
実施の形態２．
次に、この発明の実施の形態２を図にもとづいて説明する。エレベータおよびその制御装置の構成は実施の形態１と同様であるため説明を省略し、図６〜図８のフローチャートにもとづいて動作の説明を行う。ただしこの場合、図１における６はテンキー付インターホンとしている。
【００３１】
図６のフローチャートは図３のフローチャートと実質同一である。ステップＳ１〜Ｓ３まで進んで、ステップＳ４の通話で来客であると判断した場合には、図７のステップＳ７で住戸盤９のエントランス解錠スイッチを操作し、ホームオートメーション（ＨＡ）制御装置８、認証制御装置１１を経由してエントランスのドア１を解錠する。
来客でない場合は、エントランスのドアを解錠せず、処理を終了する。
【００３２】
ステップＳ８で来客がエレベータを使用できるようにするため、認証制御装置１１に、該当する部屋のエレベータの乗場呼びサービス切放しを一時解除するための時限をセットする。その後、ステップＳ９でエレベータホールのテンキー付インターホン６が操作されたかどうかを判断する。操作されていない場合は、ステップＳ１０でステップＳ８において設定された全ての部屋の時限をカウントし、ステップＳ９に戻ってテンキーの入力待ちとなる。
【００３３】
ステップＳ９で、テンキーが操作された場合は、サービス切放しを一時解除するための時限をカウントしないことにより、複数の来客が操作した場合でも照合可能とし、ステップＳ１２でホームオートメーション(ＨＡ)制御装置８を経由して認証制御装置１１にテンキー情報を送り、テンキー付インターホン６で操作した部屋番号と、ステップＳ８で設定したサービス切放しの一時解除を行う部屋番号とが一致しているかどうかを判断する。
【００３４】
一致していなければ、ステップＳ１３でホームオートメーション（ＨＡ）制御装置８を経由してテンキー付インターホン６に「照合ＮＧ」であることを所定時間表示する。一致していれば、ステップＳ１４でホームオートメーション（ＨＡ）制御装置８を経由してテンキー付インターホン６に「照合ＯＫ」であることを所定時間表示し、ステップＳ１５で該当する部屋のエレベータのサービス切放しを一時解除するための時限をリセットし、図８のステップＳ１６に移行する。
【００３５】
ステップＳ１３で照合ＮＧを表示した場合は、ステップＳ２２でエレベータホールと住居室とでインターホン接続中かどうかを判断し、接続中であれば、ステップＳ９に戻り、テンキーの入力待ちとなる。接続中でなければ、ステップＳ２３でホームオートメーション（ＨＡ）制御装置８を経由して、該当する住戸盤９のインターホンに接続して呼び出す。
【００３６】
ステップＳ２４で所定時間以内に、住戸盤９からの応答があれば、ステップＳ２６でエレベータホールと住居室とで通話を行う。ステップＳ２７で通話が完了すると、インターホンの接続を切断する。ステップＳ２４で所定時間以内に住戸盤からの応答がなければ、ステップＳ２５でインターホン接続を切断する。
【００３７】
ステップＳ２６の通話で、来客であると判断した場合には、ステップＳ２７でインターホンの接続を切断した後、ステップＳ２８で住戸盤９のエントランス解錠スイッチを操作し、ホームオートメーション（ＨＡ）制御装置８、認証制御装置１１を経由して認証制御装置１１から部屋番号に該当する階床情報をエレベータ制御盤１２へ出力し、サービス切放しを解除する。その後は、図８のステップＳ１６に移行し、上述した図５のステップＳ１６〜Ｓ２１と同様にエレベータが運転されることになる。
【図面の簡単な説明】
【００３８】
【図１】この発明の実施の形態１の構成を示すブロック図である。
【図２】実施の形態１におけるエレベータの構成を示す概略図である。
【図３】実施の形態１の動作を説明するためのフローチャートである。
【図４】実施の形態１の動作を説明するためのフローチャートである。
【図５】実施の形態１の動作を説明するためのフローチャートである。
【図６】実施の形態２の動作を説明するためのフローチャートである。
【図７】実施の形態２の動作を説明するためのフローチャートである。
【図８】実施の形態２の動作を説明するためのフローチャートである。
【符号の説明】
【００３９】
１  エントランスのドア、  ２、６  テンキー付きインターホン、
３、７  非接触キーの読取り装置、  ４  エレベータの扉、  ５  乗場ボタン、
８  ＨＡ制御装置、  ９  住戸盤、  １０  非接触キー制御装置、
１１  認証制御装置、  １２  エレベータ制御盤、  １３  かご室、
１４  行先（かご呼び）ボタン、  １５  モータ、  １６  ロープ、
１７  釣り合いおもり、  １８  かご制御ケーブル、  １９  乗場制御ケーブル。
【図１】
2006327764.tif 000003
【図２】
2006327764.tif 000004
【図３】
2006327764.tif 000005
【図４】
2006327764.tif 000006
【図５】
2006327764.tif 000007
【図６】
2006327764.tif 000008
【図７】
2006327764.tif 000009
【図８】
2006327764.tif 000010